Podtech/llm-jp-corpus-v4-ja_patent huggingface dataset:
【手続補正書】
【提出日】平成18年8月7日(2006.8.7)
【手続補正１】
【補正対象書類名】特許請求の範囲
【補正対象項目名】全文
【補正方法】変更
【補正の内容】
【特許請求の範囲】
【請求項１】
複数の遊技機が設置される遊技機設置島であって、
前記遊技機設置島の下部に配設され、前記遊技機による遊技に使用する遊技球を貯留する下部タンクと、
前記下部タンクに貯留された遊技球を前記遊技機設置島の上部に揚送する揚送装置と、
前記遊技機設置島の上部に配設され、前記揚送装置にて揚送された遊技球を貯留する上部タンクと、
前記上部タンクから前記遊技機設置島の長手方向端部側に向けて下方に傾斜するとともに、前記上部タンク側の端部が該上部タンクに上下方向に可動自在に設けられ、前記上部タンクに貯留された遊技球を前記複数の遊技機に供給する可動供給樋と、
前記上部タンクに前記可動供給樋を取付けるための取付手段と、
前記可動供給樋を前記取付手段にて前記上部タンクに取付ける取付位置を上下方向に位置調整自在とするための取付位置調整手段と、
を備えることを特徴とする遊技機設置島。
【請求項２】
前記取付手段はネジであり、
前記取付位置調整手段は、
前記上部タンクの側板に形成されたネジ挿通孔と、
前記可動供給樋に上下方向に向けて所定間隔おきに複数形成され、前記ネジ挿通孔から挿通した前記ネジが螺入されるネジ孔と、
から構成されている請求項１に記載の遊技機設置島。
【請求項３】
前記取付位置調整手段は、最大高さ位置に取付けられた前記可動供給樋における遊技球の誘導流下面が、前記上部タンクにおける遊技球貯留部の底面の高さ位置よりも下方位置となるように構成されている請求項１または２に記載の遊技機設置島。
【請求項４】
前記可動供給樋は、
前記上部タンクの内部に上下方向に摺動自在に嵌合される可動部材と、
該可動部材の下部から前記遊技機設置島の長手方向に延設される流下部材と、
から構成されている請求項１ないし３のいずれかに記載の遊技機設置島。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
本発明の請求項２に記載の遊技機設置島は、請求項１に記載の遊技機設置島であって、前記取付手段はネジであり、
前記取付位置調整手段は、
前記上部タンクの側板に形成されたネジ挿通孔と、
前記可動供給樋に上下方向に向けて所定間隔おきに複数形成され、前記ネジ挿通孔から挿通した前記ネジが螺入されるネジ孔と、
から構成されていることを特徴としている。
この特徴によれば、ネジの取付位置を変えることで可動誘導樋の取付位置を容易に調整することができるばかりか、複数のネジ孔が可動誘導樋に形成されることで、上部タンクに形成されたネジ挿通孔の位置が変わることがないため、ネジの取付作業が容易になる。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
本発明の請求項３に記載の遊技機設置島は、請求項１または２に記載の遊技機設置島であって、前記取付位置調整手段は、最大高さ位置に取付けられた前記可動供給樋における遊技球の誘導流下面が、前記上部タンクにおける遊技球貯留部の底面の高さ位置よりも下方位置となるように構成されていることを特徴としている。
この特徴によれば、取付位置調整手段により可動誘導樋の取付位置を調整しても、遊技球貯留部の底面付近に貯留された遊技球を揚送したりすることなく、下方位置にある可動誘導樋の誘導流下面に簡単に流出させることができる。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
本発明の請求項４に記載の遊技機設置島は、請求項１ないし３のいずれかに記載の遊技機設置島であって、前記可動供給樋は、
前記上部タンクの内部に上下方向に摺動自在に嵌合される可動部材と、
該可動部材の下部から前記遊技機設置島の長手方向に延設される流下部材と、
から構成されていることを特徴としている。
この特徴によれば、可動供給樋が可動部材と流下部材とにより構成されていることで、流下部材と可動部材とを分離し、可動部材だけで上下方向の取付位置調整を行うことができる。よって、上下方向の取付位置調整作業を流下部材の荷重が加わらない状態で行うことができるため、取付位置調整作業が容易になる。
【手続補正９】
【補正対象書類名】明細書
【補正対象項目名】０１１６
【補正方法】削除
【補正の内容】
【手続補正１０】
【補正対象書類名】明細書
【補正対象項目名】０１１７
【補正方法】削除
【補正の内容】
【手続補正１１】
【補正対象書類名】明細書
【補正対象項目名】０１１８
【補正方法】変更
【補正の内容】
【０１１８】
本発明の請求項２は、前記取付手段はネジ（７７）であり、前記取付位置調整手段は、前記上部タンク（３）の側板（５０）に形成されたネジ挿通孔（７６）と、前記可動供給樋（可動部材７０（第１筒状部７１））に上下方向に向けて所定間隔おきに複数形成され、前記ネジ挿通孔から挿通した前記ネジが螺入されるネジ孔（７５）と、から構成されている。
【手続補正１２】
【補正対象書類名】明細書
【補正対象項目名】０１１９
【補正方法】削除
【補正の内容】
【手続補正１３】
【補正対象書類名】明細書
【補正対象項目名】０１２０
【補正方法】変更
【補正の内容】
【０１２０】
本発明の請求項３は、前記取付位置調整手段（ネジ孔７５、ネジ挿通孔７６）は、最大高さ位置に取付けられた前記可動供給樋（可動部材７０、供給樋４Ｌ、４Ｒ）における遊技球（パチンコ球）の誘導流下面（第２筒状部７２の底面）が、前記上部タンク（３）における遊技球貯留部の底面（底板５２の上面）の高さ位置よりも下方位置となるように構成されている。
【手続補正１４】
【補正対象書類名】明細書
【補正対象項目名】０１２１
【補正方法】削除
【補正の内容】
【手続補正１５】
【補正対象書類名】明細書
【補正対象項目名】０１２２
【補正方法】変更
【補正の内容】
【０１２２】
本発明の請求項４は、前記可動供給樋（３）は、前記上部タンク（３）の内部に上下方向に摺動自在に嵌合される可動部材（可動部材７０）と、該可動部材の下部から前記遊技機設置島の長手方向に延設される流下部材（供給樋４Ｌ、４Ｒ）と、から構成されている。
【手続補正書】
【提出日】平成18年10月26日(2006.10.26)
【手続補正１】
【補正対象書類名】特許請求の範囲
【補正対象項目名】全文
【補正方法】変更
【補正の内容】
【特許請求の範囲】
【請求項１】
転写材に形成した補正用画像の色味を検知し、検知結果に基づいて画像形成手段の色味補正を行うカラー画像形成装置の制御方法であって、
給紙された転写材が種類の異なる転写材に変化したことを検出する工程と、
前記検出する工程で転写材の種類が変化したことを検出した場合、その転写材に形成した補正用画像の色味を検知し、検知結果に基づいて画像形成手段の色味補正を行い、その色味補正の補正データとその転写材に関する情報とを記憶する工程と、
前記検出する工程で前記転写材の種類が変化したことを検出した場合、前記記憶する工程で記憶した転写材に関する情報に応じて前記補正データにより画像形成を行うように制御する工程とを有することを特徴とするカラー画像形成装置の制御方法。
【請求項２】
前記画像形成手段における使用環境の変化を検知する工程を更に有し、
前記制御する工程では、前記検出する工程で前記転写材の種類が変化したことを検出した場合、更に前記使用環境の変化に応じて前記補正データにより画像形成を行うか否かを制御することを特徴とする請求項１に記載のカラー画像形成装置の制御方法。
【請求項３】
前記検出する工程で前記転写材の種類が変化したことを検出した場合、前記画像形成手段の色味補正を行うか、或いは前記補正データにより画像形成を行うかをユーザの指示に基づいて決定する工程を有することを特徴とする請求項１又は請求項２に記載のカラー画像形成装置の制御方法。
【請求項４】
前記制御する工程では、前記補正データにより画像形成を行わない場合、予め決められた補正値か、前記転写材に関する情報から決定される補正値により画像形成を行うように制御することを特徴とする請求項１に記載のカラー画像形成装置の制御方法。
【請求項５】
前記転写材に関する情報は、ユーザによって入力された情報か、転写材の光沢又は紙種を検知する検知手段による検知結果であることを特徴とする請求項１に記載のカラー画像形成装置の制御方法。
【請求項６】
前記補正データは、前記カラー画像形成装置の濃度−階調特性を補正するためのキャリブレーションテーブルのデータであることを特徴とする請求項１に記載のカラー画像形成装置の制御方法。
【請求項７】
転写材に形成した補正用画像の色味を検知し、検知結果に基づいて画像形成手段の色味補正を行うカラー画像形成装置において、
給紙された転写材が種類の異なる転写材に変化したことを検出する検出手段と、
前記検出手段により転写材の種類が変化したことを検出した場合、その転写材に形成した補正用画像の色味を検知し、検知結果に基づいて画像形成手段の色味補正を行い、その色味補正の補正データとその転写材に関する情報とを記憶する記憶手段と、
前記検出手段により前記転写材の種類が変化したことを検出した場合、前記記憶手段に記憶した転写材に関する情報に応じて前記補正データにより画像形成を行うように制御する制御手段とを有することを特徴とするカラー画像形成装置。
【請求項８】
コンピュータに請求項１に記載のカラー画像形成装置の制御方法の各手順を実行させるためのプログラム。
【請求項９】
請求項８に記載のプログラムを記録したコンピュータ読み取り可能な記録媒体。
【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
円盤状の砥石車と、この砥石車を水平面内で回転させる砥石軸を有する砥石回転装置と、
前記砥石車に対して水平面内で離接する方向とは直角な方向にベッド上を移動するテーブルと、
前記砥石車に対して水平面内で離接する方向と平行に前記テーブル上を移動するコラムと、
前記コラムに取り付けられ鉛直方向に移動するサドルと、
多面体カット構造のダイヤモンドをダイヤモンドのガードルを利用し圧入方式により保持するチャック手段と、前記チャック手段に保持される前記ダイヤモンドのカット面を割り出す割出手段と、を有するワーク保持軸と、
テーブルの移動方向と平行な軸回りに前記ワーク保持軸を旋回可能に支持する旋回軸を有し、前記砥石車の研削面に対するダイヤモンドのカット面の角度を設定するカット面角度設定手段と、
を具備することを特徴とする宝石類研削装置。
【請求項２】
前記チャック手段は、
前記ダイヤモンドの回転対称軸が同軸になるように当該ダイヤモンドをガードルの部分で把持するコレットと、
前記コレットに外嵌するホルダと、からなることを特徴とする請求項１に記載の宝石類研削装置。
【請求項３】
前記テーブルを移動させる軸をＸ軸、前記コラムを移動させる軸をＺ軸、前記サドルを移動させる軸をＹ軸とし、Ｘ軸、Ｙ軸、Ｚ軸の３軸制御の数値制御工作機械として構成したことを特徴とする請求項１に記載の宝石類研削装置。
【請求項４】
前記カット面角度設定手段は、カット面の角度を検出する手段と、設定したカット面の角度を固定する手段と、を具備することを特徴とする請求項１に記載の宝石類研削装置。
【手続補正２】
【補正対象書類名】明細書
【補正対象項目名】００１４
【補正方法】変更
【補正の内容】
【００１４】
ベッド１２の上面には、砥石回転装置２０とテーブル台２１が設置されている。砥石回転装置２０は、砥石車２２を備えている。この実施形態の宝石類研削装置１０では、砥石車２２を基準にしてこの砥石車２２に対して接近しあるいは離れる方向がＺ軸の方向で、Ｚ軸の方向に直交する方向であって砥石車２２に対して並行する方向がＸ軸で、鉛直方向がＹ軸である。
【手続補正３】
【補正対象書類名】明細書
【補正対象項目名】００１９
【補正方法】変更
【補正の内容】
【００１９】
一方、第２カップリング部材６２の上にはエアシリンダ６５が同軸に設けられている。このエアシリンダ６５のピストン６６から延びるピストンロッド６７は、第１カップリング部材６１と連結されている。エアシリンダ６５の内部には皿バネ６８が収納され、この皿バネ６８の弾性力によりピストン６６は押し上げられているので、ピストンロッド６７と連結している第１カップリング部材６１が、皿バネ６８に付勢されて第２カップリング部材６２と噛み合うようになっている。エアシリンダ６５のシリンダ室６９には、ポート７０からエアが供給される。そしてシリンダ室６９にエアが導入されると、皿バネ６８の弾性力に抗してピストン６６が押し下げられ、第１カップリング部材６１と第２カップリング部材６２との噛み合いが外れ、第２カップリング６２から下のチャック部を含む全体が回るようになっている。したがって、このときチャック部３０を手動で回して割り出すことができるようになっている。
【手続補正書】
【提出日】平成18年9月22日(2006.9.22)
【手続補正１】
【補正対象書類名】明細書
【補正対象項目名】００３７
【補正方法】変更
【補正の内容】
【００３７】
まず、ワーク保持軸１８を下降させ、ダイヤモンド６０を研削位置に位置決めさせる。数値制御装置５０は、研削加工の試行位置がＰ１〜Ｐ８のいずれであるかを示すデータをパソコン４６に出力する。そして、砥石車２２の半径方向に送りながら所定の速度で切り込み、研削を開始し、砥石モータ４４のモータ電流値の読み取りを開始する（ステップＳ１）。この場合、Ｐ１、Ｐ５はＸ軸方向に、Ｐ３、Ｐ７はＺ軸方向に、Ｐ２、Ｐ４、Ｐ６、Ｐ８はＸ−Ｚ軸方向に送ることになる。ダイヤモンド６０が設定したＹ軸位置まで達して、切り込みが終了し、加工位置Ｐ１での一方向についてのモータ電流値測定が終了する（ステップＳ２）。
【手続補正書】
【提出日】平成18年7月13日(2006.7.13)
【手続補正１】
【補正対象書類名】特許請求の範囲
【補正対象項目名】全文
【補正方法】変更
【補正の内容】
【特許請求の範囲】
【請求項１】
結晶性のジルコニウム複合酸化物にアルカリ金属と貴金属を担持させた排気ガス浄化用触媒において、前記ジルコニウム複合酸化物が、３価の希土類金属より選ばれる少なくとも１種の元素によってジルコニウムの一部が置換されており、この元素置換による結晶格子の伸びが略理論値となっていることを特徴とする排気ガス浄化触媒。
【請求項２】
前記３価の希土類金属より選ばれる少なくとも１種の元素が、ジルコニウム複合酸化物中の全金属元素の全モル数を基準として５〜５０モル％存在する、請求項１記載の排気ガス浄化用触媒。
【請求項３】
ジルコニウムの一部がランタンにより置換されている、請求項１記載の排気ガス浄化用触媒。
【請求項４】
ジルコニウム複合酸化物に担持される前記アルカリ金属がセシウムである、請求項１記載の排気ガス浄化用触媒。
【請求項５】
ジルコニウム複合酸化物に担持される前記貴金属が白金である、請求項１記載の排気ガス浄化用触媒。
【請求項６】
結晶性のジルコニウム複合酸化物にアルカリ金属と貴金属を担持させた排気ガス浄化用触媒の製造方法において、加水分解してジルコニウムの水酸化物を生成する有機化合物を溶解した有機相と、３価の希土類金属より選ばれる第２の元素をイオンとして含む水相とを接触させることにより、それらの界面におけるジルコニウム有機化合物の加水分解反応によりジルコニウムの水酸化物を生成させる過程でこの生成物中に第２の元素を取り込み、得られる複合水酸化物を焼成してジルコニウム及び第２の元素の複合酸化物を得、さらにアルカリ金属と貴金属を担持させることを特徴とする排気ガス浄化用触媒の製造方法。
【請求項７】
前記加水分解してジルコニウムの水酸化物を生成する有機化合物が、ジルコニウムアルコキシド、アセチルアセトンジルコニウム錯体から選ばれる１種である、請求項６記載の排気ガス浄化用触媒の製造方法。
【請求項８】
前記加水分解してジルコニウムの水酸化物を生成する有機化合物が、ジルコニウムブトキシドである、請求項６記載の排気ガス浄化用触媒の製造方法。
【請求項９】
前記第２の元素がランタンである、請求項６記載の排気ガス浄化用触媒の製造方法。
【手続補正２】
【補正対象書類名】明細書
【補正対象項目名】００１３
【補正方法】変更
【補正の内容】
【００１３】
上記問題点を解決するために１番目の発明によれば、結晶性のジルコニウム複合酸化物にアルカリ金属と貴金属を担持させた排気ガス浄化用触媒において、前記ジルコニウム複合酸化物が、３価の希土類金属より選ばれる少なくとも１種の元素によってジルコニウムの一部が置換されており、この元素置換による結晶格子の伸びが略理論値となっている。
【手続補正３】
【補正対象書類名】明細書
【補正対象項目名】００１４
【補正方法】変更
【補正の内容】
【００１４】
２番目の発明によれば、結晶性のジルコニウム複合酸化物にアルカリ金属と貴金属を担持させた排気ガス浄化用触媒の製造方法において、加水分解してジルコニウムの水酸化物を生成する有機化合物を溶解した有機相と、３価の希土類金属より選ばれる第２の元素をイオンとして含む水相とを接触させることにより、それらの界面におけるジルコニウム有機化合物の加水分解反応によりジルコニウムの水酸化物を生成させる過程でこの生成物中に第２の元素を取り込み、得られる複合水酸化物を焼成してジルコニウム及び第２の元素の複合酸化物を得、さらにアルカリ金属と貴金属を担持させている。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正書】
【提出日】平成17年12月5日(2005.12.5)
【手続補正１】
【補正対象書類名】特許請求の範囲
【補正対象項目名】全文
【補正方法】変更
【補正の内容】
【特許請求の範囲】
【請求項１】
上部パイプと下部パイプとをケーシングを介在させて接合し、ケーシング内に吐出ポンプとしてインペラを収容するとともに、その外周を吐出口に形成し、インペラを駆動して上下パイプの上下端の吸込口から吸い込んだ上水及び下水を混合して吐出口から吐出する上下水混合装置において、ケーシング内のインペラを廃するとともに、ケーシングの上下の上下パイプ内に、上下の吸込口から吸い込んだ水を各々ケーシングに送り込むインペラをそれぞれ設けたことを特徴とする上下水混合装置。
【請求項２】
上部パイプに取り付けられた電動機で駆動される駆動軸がケーシングを通過して設けられており、この駆動軸によって各インペラが駆動される請求項１の上下水混合装置。
【請求項３】
ケーシングは上下に仕切られており、それぞれに吐出口に向けて誘導路が形成されている請求項１又は２の上下水混合装置。
【請求項４】
各インペラの羽根がそのピッチを遠隔的に制御できる可変ピッチ式である請求項１〜３いずれかの上下水混合装置。
【請求項５】
各インペラの羽根が固定ピッチ式であり、駆動軸が個別の電動機で駆動される内外二重式になっていて各々の回転数が制御できるものである請求項１〜３いずれかの上下水混合装置。
【請求項６】
吐出口がケーシングの周囲に特定の角度範囲で設けられている請求項１〜５いずれかの上下水混合装置。
【請求項７】
インペラが逆転できるものであり、逆転時、吐出口から水を吸い込んで吸込口からそれぞれ吐出させる請求項１〜６いずれかの上下水混合装置。
【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
被処理液中に設置され、気泡を前記被処理液中に吹出して分散させる散気装置であって、
前記気泡を吹出すための多数の小孔が形成された気体吹出し面を有するケーシングと、
前記気体吹出し面に対して、所定の間隙をもって対向するとともに相対移動自在に設けられ、スリット状開口を有する薄板状の気泡微細化部材と
を備えることを特徴とする散気装置。
【請求項２】
前記多数の小孔が前記気体吹出し面において放射状に配列されることを特徴とする請求項１に記載の散気装置。
【請求項３】
前記ケーシングが円筒状を有することを特徴とする請求項１に記載の散気装置。
【請求項４】
前記気体吹出し面が円筒の上面または底面であることを特徴とする請求項３に記載の散気装置。
【請求項５】
前記スリット状開口が放射状に延びることを特徴とする請求項１に記載の散気装置。
【請求項６】
前記気泡微細化部材が前記気体吹出し面に対して平行状態を保持しつつ、所定の軸周りに回転自在であることを特徴とする請求項１に記載の散気装置。
【請求項７】
請求項１に記載の散気装置により発生した気泡が被処理液中に含まれる汚濁物質の表面に吸着して液面に浮上した大量の泡から前記汚濁物質を取出す泡沫分離装置であって、
本体と、
前記本体に設けられ、液面上の前記泡を吸引して集める集泡部と、
前記集泡部によって吸引された泡を液化させる消泡部と
を備えることを特徴とする泡沫分離装置。
【請求項８】
前記本体内に設けられて散気室と溢流室に区画し、上端部が前記液面よりも下側に位置する溢流壁を備えることを特徴とする請求項７に記載の泡沫分離装置。
【請求項９】
前記本体の下部に、前記散気室内に被処理液を供給するための給液口が設けられることを特徴とする請求項８に記載の泡沫分離装置。
【請求項１０】
前記本体の下部に、前記溢流室から処理済液を排出するための排液口が設けられることを特徴とする請求項９に記載の泡沫分離装置。
【請求項１１】
前記給液口が、前記本体の底部であって前記散気装置に対向する部位に開口することを特徴とする請求項９に記載の泡沫分離装置。
【請求項１２】
前記給液口が前記本体の側面に開口し、前記散気装置が前記給液口よりも上方に設けられる内床に載置され、前記内床の前記散気装置に対向した部位に、液導入口が形成されることを特徴とする請求項９に記載の泡沫分離装置。
【請求項１３】
前記溢流壁が平板状であることを特徴とする請求項８に記載の泡沫分離装置。
【請求項１４】
前記本体が円筒状を有し、前記溢流壁が前記本体と同心的な円筒状を有することを特徴とする請求項８に記載の泡沫分離装置。
【請求項１５】
前記消泡部がハウジングと、前記ハウジング内に導かれる泡が衝突して破壊する邪魔板とを備えることを特徴とする請求項７に記載の泡沫分離装置。
【請求項１６】
請求項１に記載の散気装置と、
前記散気装置に気体を供給する給気手段と、
請求項７に記載の泡沫分離装置と
を備え、前記給気手段は、前記消泡部を介して前記集泡部における泡の吸引を行い、この吸引によって発生する排気を前記散気装置に供給することを特徴とする排水浄化システム。
【手続補正２】
【補正対象書類名】明細書
【補正対象項目名】０００５
【補正方法】変更
【補正の内容】
【０００５】
本発明に係る散気装置は、気泡を吹出すための多数の小孔が形成された気体吹出し面を有するケーシングと、気体吹出し面に対して、所定の間隙をもって対向するとともに相対移動自在に設けられ、スリット状開口を有する薄板状の気泡微細化部材とを備えることを特徴としている。
【手続補正３】
【補正対象書類名】明細書
【補正対象項目名】００１９
【補正方法】変更
【補正の内容】
【００１９】
ブロア９０が作動すると、吸気管６５と集泡部５２のハウジング６７と排泡管６３を介して、集泡部５２における泡の吸引が行われる。この吸引によって発生する排気すなわち空気は、排気管６６を介して散気装置１０に供給される。
【手続補正書】
【提出日】平成18年8月30日(2006.8.30)
【手続補正１】
【補正対象書類名】明細書
【補正対象項目名】００３４
【補正方法】変更
【補正の内容】
【００３４】
前記駐車ブレーキ作動解除手段として、特に限定されるものではないが、例えば駐車ブレーキケーブルを使用することができる。オペレータが前記中立位置から前後進の回動方向へと走行レバーを回動操作すると、前記駐車ブレーキケーブルを介してブレーキ装置の制動を解除することができる。これとは逆の操作により、オペレータが前記前後進の回動方向から中立位置へと走行レバーを回動操作すると、前記駐車ブレーキケーブルを介してブレーキ装置を制動状態に保持することができる。部品点数を増やすことなく、簡単な構造で安価な駐車ブレーキ作動解除手段を得ることができ、走行レバーに所望の制動機構を備えることができる。
【手続補正２】
【補正対象書類名】明細書
【補正対象項目名】００３９
【補正方法】変更
【補正の内容】
【００３９】
図１において、粉砕機本体である自走式台車１の走行方向前部に、図示せぬエンジン、冷却ファン、ラジエータなどのエンジン部が搭載されており、同エンジン部全体が防音カバー２により覆われ、エンジンルーム３を構成している。エンジンルーム３の後壁には、投入ホッパ４から投入された枝葉木を切断して粉砕する粉砕部５と、粉砕部５にて粉砕された粉砕片をシュータ６を介してエア搬送する図示せぬ送風機とを収容するハウジング７が接続されている。
【手続補正３】
【補正対象書類名】明細書
【補正対象項目名】００５５
【補正方法】変更
【補正の内容】
【００５５】
前記作動スイッチ４０の本体は、前記レバー支持体２０の第１支承部２１の後端部上面に突設された上部支持アーム２１ｂに固着することができる。作動スイッチ４０を上部支持アーム２１ｂに固着することで走行レバー１２の回動に追従できるように構成することができる。
【手続補正４】
【補正対象書類名】図面
【補正対象項目名】図３
【補正方法】変更
【補正の内容】
【図３】
2005125857.tif 000001
【手続補正書】
【提出日】平成18年8月22日(2006.8.22)
【手続補正１】
【補正対象書類名】特許請求の範囲
【補正対象項目名】全文
【補正方法】変更
【補正の内容】
【特許請求の範囲】
【請求項１】
インクジェット記録方式による印刷を施すためのインクジェット受理層を、基材上に形成するために用いる組成物であり、当該組成物が、分子中に４級アンモニウム塩基、水酸基、アセトアセチル基、カルボン酸基、カルボン酸塩基、スルホン酸基、及びスルホン酸塩基からなる群より選ばれる少なくとも一種の官能基を有する重合体（Ａ）、シランカップリング剤（Ｂ）、及び水性ポリウレタン樹脂（Ｃ）を必須に含有して成ることを特徴とするインクジェット受理層用組成物。
【請求項２】
前記インクジェット受理層用組成物が、４級アンモニウム塩基を有する重合体（Ａ１）とシランカップリング剤（Ｂ）を含有して成り、且つ４級アンモニウム塩基を有する重合体（Ａ１）が、エピクロルヒドリンポリアミド樹脂、アミンエピクロルヒドリン樹脂、ポリエチレンイミン塩含有樹脂、ポリビニルアミン塩含有樹脂、ポリビニルアミジン樹脂、ポリアリルアミン塩含有樹脂、ポリアミンスルホン塩含有樹脂、ポリジアリルジメチルアンモニウムクロライド含有樹脂、ジシアンジアミド−ホルマリン重縮合物、カチオン変性ポリビニルアルコール樹脂、及びカチオン基含有アクリル樹脂からなる群より選ばれる少なくとも一種である請求項１記載のインクジェット受理層用組成物。
【請求項３】
前記４級アンモニウム塩基を有する重合体（Ａ１）が、エピクロルヒドリンポリアミド樹脂である請求項２記載のインクジェット受理層用組成物。
【請求項４】
前記インクジェット受理層用組成物が、水酸基を有する重合体（Ａ２）とシランカップリング剤（Ｂ）を含有して成り、且つ水酸基を有する重合体（Ａ２）が、ポリビニルアルコール樹脂、ポリビニルアセタール樹脂、メチルセルロース、エチルセルロース、ヒドロキシセルロース、ヒドロキシプロピルセルロース、ヒドロキシプロピルメチルセルロース、及びカルボキシメチルセルロースからなる群より選ばれる少なくとも一種である請求項１記載のインクジェット受理層用組成物。
【請求項５】
前記水酸基を有する重合体（Ａ２）が、ポリビニルアルコール樹脂である請求項４記載のインクジェット受理層用組成物。
【請求項６】
前記インクジェット受理層用組成物が、４級アンモニウム塩基を有する重合体（Ａ１）としてエピクロルヒドリンポリアミド樹脂と、水酸基を有する重合体（Ａ２）としてポリビニルアルコール樹脂、シランカップリング剤（Ｂ）、及び水性ポリウレタン樹脂（Ｃ）を必須に含有して成ることを特徴とする請求項１記載のインクジェット受理層用組成物。
【請求項７】
前記インクジェット受理層用組成物において、シランカップリング剤（Ｂ）が、分子中にアミノ基、イソシアネート基、及び４級アンモニウム塩基からなる群より選ばれる少なくとも一種の官能基を有するものである請求項１記載のインクジェット受理層用組成物。
【請求項８】
前記インクジェット受理層用組成物において、シランカップリング剤（Ｂ）が、分子中にアミノ基、イソシアネート基、及び４級アンモニウム塩基からなる群より選ばれる少なくとも一種の官能基を有するものである請求項６記載のインクジェット受理層用組成物。
【請求項９】
基材上に請求項１〜８の何れかに記載のインクジェット受理層用組成物から成るインクジェット受理層を設けてなることを特徴とする被記録材。
【手続補正書】
【提出日】平成18年10月16日(2006.10.16)
【手続補正１】
【補正対象書類名】特許請求の範囲
【補正対象項目名】全文
【補正方法】変更
【補正の内容】
【特許請求の範囲】
【請求項１】
被記録紙に印字をおこなうためのプリントヘッドと、
被記録紙を搬送するための搬送手段と、
画像データ周囲部の非印字領域に冗長画像データを付加する冗長画像データ付加手段と、
を具備することを特徴とする印字装置。
【請求項２】
被記録紙に印字をおこなうためのプリントヘッドと、
被記録紙を搬送するための搬送手段と、
画像データ周囲部の非印字領域に冗長画像データを付加する冗長画像データ付加手段と、
画像データ周囲部の非印字領域に前記画像データと前記冗長画像データの境界位置を示す境界線を印字するためのデータを付加する境界線付加手段と、
を具備することを特徴とする印字装置。
【請求項３】
被記録紙に印字をおこなうためのプリントヘッドと、
被記録紙を搬送するための搬送手段と、
被記録紙を切断するカッター機構と、
画像データ周囲部の非印字領域に冗長画像データを付加する冗長画像データ付加手段と、を有し、
前記プリントヘッドを用いて印字した後、前記画像データと前記冗長画像データとの境界を前記カッター機構で切断することにより、余白のない印字を実現することを特徴とする印字装置。
【請求項４】
被記録紙に印字を行なうためのプリントヘッドと、
被記録紙を搬送するための搬送手段と、
画像データ周囲部の非印字領域に冗長画像データを付加する冗長画像データ付加手段と、を有し、
被記録紙の領域を超えて印字を行なうことにより、余白ない印字を実現することを特徴とする印字装置。
【請求項５】
前記冗長画像データは、前記画像データの周縁部付近の一部をミラー反転して生成することを特徴とする請求項１から４の何れか１項に記載の印字装置。
【請求項６】
前記冗長画像データは、前記画像データの周縁部付近の一部を繰り返し使用して生成することを特徴とする請求項１から４の何れか１項に記載の印字装置。
【請求項７】
前記冗長画像データ付加手段は、前記画像データの送出側である装置が備えていることを特徴とする請求項１から４の何れか１項に記載の印字装置。
【手続補正２】
【補正対象書類名】明細書
【補正対象項目名】００１１
【補正方法】変更
【補正の内容】
【００１１】
上記の目的を達成するための請求項１記載の発明は、被記録紙に印字をおこなうためのプリントヘッドと、被記録紙を搬送するための搬送手段と、画像データ周囲部の非印字領域に冗長画像データを付加する冗長画像データ付加手段と、を具備することを特徴とするものである。
【手続補正３】
【補正対象書類名】明細書
【補正対象項目名】００１３
【補正方法】変更
【補正の内容】
【００１３】
請求項３記載の発明は、被記録紙に印字をおこなうためのプリントヘッドと、被記録紙を搬送するための搬送手段と、被記録紙を切断するカッター機構と、画像データ周囲部の非印字領域に冗長画像データを付加する冗長画像データ付加手段と、を有し、前記プリントヘッドを用いて印字した後、前記画像データと前記冗長画像データとの境界を前記カッター機構で切断することにより、余白のない印字を実現することを特徴とするものである。
請求項４記載の発明は、被記録紙に印字を行なうためのプリントヘッドと、被記録紙を搬送するための搬送手段と、画像データ周囲部の非印字領域に冗長画像データを付加する冗長画像データ付加手段と、を有し、被記録紙の領域を超えて印字を行なうことにより、余白ない印字を実現することを特徴とするものである。
【手続補正４】
【補正対象書類名】明細書
【補正対象項目名】００１４
【補正方法】変更
【補正の内容】
【００１４】
請求項５記載の発明は、請求項１から４の何れか１項に記載の印字装置において、前記冗長画像データが、前記画像データの周縁部付近の一部をミラー反転して生成するものであることを特徴とするものである。
【手続補正５】
【補正対象書類名】明細書
【補正対象項目名】００１５
【補正方法】変更
【補正の内容】
【００１５】
請求項６記載の発明は、請求項１から４の何れか１項に記載の印字装置において、前記冗長画像データが、前記画像データの周縁部付近の一部を繰り返し使用して生成するものであることを特徴とするものである。
【手続補正６】
【補正対象書類名】明細書
【補正対象項目名】００１６
【補正方法】変更
【補正の内容】
【００１６】
請求項７記載の発明は、請求項１から４の何れか１項に記載の印字装置において、前記画像データの送出側である装置が前記冗長画像データ付加手段を備えていることを特徴とするものである。
【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
剥離層の一方面に、弾性を有する弾性シート層と接着剤層とからなるシート本体を積層するようにした熱転写シート。
【請求項２】
前記弾性シート層を所定色に着色した請求項１に記載の熱転写シート。
【請求項３】
身体の一部に装着されることにより身体動作を補助する布帛製の装具において、
所定形状に切断した弾性を有する弾性シート層と接着剤層とからなるシート本体を、当該シート本体の接着剤層により装具の表面における所定部位に熱融着させ、これにより身体動作を補助する補強部材を構成するようにした装具。
【請求項４】
身体の一部に装着される布帛製のサポータ本体と、
前記サポータ本体の表面における所定部位に設けられて身体の関節の動きを制限したり圧迫して関節を保持したりする補強部材とを備えたサポータにおいて、
所定形状に切断した弾性を有する弾性シート層と接着剤層とからなるシート本体を、当該シート本体の接着剤層によりサポータ本体の表面における所定部位に熱融着させることにより、前記補強部材を構成するようにしたサポータ。
【請求項５】
身体の一部に巻き付けるコルセット本体と、
前記コルセット本体の内側に突出するように該コルセット本体の内部に配置されたクッション材とを備え、
前記コルセット本体を身体の一部に巻いたときに前記クッション材が身体の所定部位に当たるように該クッション材の配置位置を設定するようにしたコルセットにおいて、
前記コルセット本体の内側面におけるクッション材に対応する部位には、所定形状に切断した弾性を有する弾性シート層と接着剤層とからなるシート本体を、当該シート本体の接着剤層により熱融着させるようにしたコルセット。
【手続補正２】
【補正対象書類名】明細書
【補正対象項目名】０００６
【補正方法】変更
【補正の内容】
【０００６】
請求項２に記載の発明は、前記弾性シート層を所定色に着色したことを要旨とする。
請求項３に記載の発明は、身体の一部に装着されることにより身体動作を補助する布帛製の装具において、所定形状に切断した弾性を有する弾性シート層と接着剤層とからなるシート本体を、当該シート本体の接着剤層により装具の表面における所定部位に熱融着させ、これにより身体動作を補助する補強部材を構成するようにしたことを要旨とする。
【手続補正３】
【補正対象書類名】明細書
【補正対象項目名】０００７
【補正方法】変更
【補正の内容】
【０００７】
請求項４に記載の発明は、身体の一部に装着される布帛製のサポータ本体と、前記サポータ本体の表面における所定部位に設けられて身体の関節の動きを制限したり圧迫して関節を保持したりする補強部材とを備えたサポータにおいて、所定形状に切断した弾性を有する弾性シート層と接着剤層とからなるシート本体を、当該シート本体の接着剤層によりサポータ本体の表面における所定部位に熱融着させることにより、前記補強部材を構成するようにしたことを要旨とする。
【手続補正４】
【補正対象書類名】明細書
【補正対象項目名】０００８
【補正方法】変更
【補正の内容】
【０００８】
請求項５に記載の発明は、身体の一部に巻き付けるコルセット本体と、前記コルセット本体の内側に突出するように該コルセット本体の内部に配置されたクッション材とを備え、前記コルセット本体を身体の一部に巻いたときに前記クッション材が身体の所定部位に当たるように該クッション材の配置位置を設定するようにしたコルセットにおいて、前記コルセット本体の内側面におけるクッション材に対応する部位には、所定形状に切断した弾性を有する弾性シート層と接着剤層とからなるシート本体を、当該シート本体の接着剤層により熱融着させるようにしたことを要旨とする。
【手続補正５】
【補正対象書類名】明細書
【補正対象項目名】００１１
【補正方法】変更
【補正の内容】
【００１１】
請求項３に記載の発明によれば、身体の一部に装着されることにより身体の関節を保護したり屈伸運動を補助したりする装具の表面における所定部位には、弾性を有する弾性シート層と接着剤層とからなるシート本体を利用した補強部材が熱融着される。このため、装具のシート本体を熱融着した部位における伸びが抑制されると共に、弾性シート層の弾性力により身体又はその一部の伸ばし動作が補助される。また、シート本体はアイロン等を使用して装具の表面に簡単に熱融着させることができるので、製造効率が向上する。さらに、シート本体は薄いシート状に形成されているので、シート本体を装具の表面に熱融着しても大きく盛り上がることはなく、装具の外観性が確保される。
【手続補正６】
【補正対象書類名】明細書
【補正対象項目名】００１２
【補正方法】変更
【補正の内容】
【００１２】
請求項４に記載の発明によれば、弾性を有する弾性シート層と接着剤層とからなるシート本体を利用してサポータの補強部材を構成することにより、補強部材付きサポータの製造効率が向上すると共に該サポータの外観性も確保される。
【手続補正７】
【補正対象書類名】明細書
【補正対象項目名】００１３
【補正方法】変更
【補正の内容】
【００１３】
請求項５に記載の発明によれば、コルセット本体の内側面におけるクッション材に対応する部位には、所定形状に切断された弾性を有する弾性シート層と接着剤層とからなるシート本体が熱融着される。このため、コルセット本体におけるシート本体を熱融着した部位の伸びが抑制される。従って、コルセットを身体に装着する際において、クッション材が引っ張られて伸び、薄くなることが抑制される。この結果、クッション材と腰の所定部位との接触状態が良好に保たれる。
【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
複数の吐出口からなる吐出口列と、前記吐出口からインクを吐出させる記録素子とを含む記録素子基板を有し、前記吐出口列は３以上の複数あり、前記吐出口列のそれぞれは、温度が高くなるほど粘度が低くなる複数種類のインクのいずれか１つと対応し、前記記録素子は前記インクを吐出させかつ前記記録素子基板の中の前記インクを吐出する吐出口の周囲の部分に熱を供給するインクジェット記録ヘッドであって、
前記記録素子基板において、吐出されるインクの中で最も粘度が高いインクに対応する吐出口列が、他の吐出口列の間に配設されていることを特徴とするインクジェット記録ヘッド。
【請求項２】
請求項１に記載のインクジェット記録ヘッドにおいて、
前記最も粘度が高いインクに対応する吐出口列は、前記複数の吐出口列の中央の列となるように配設されていることを特徴とするインクジェット記録ヘッド。
【請求項３】
請求項１または２に記載のインクジェット記録ヘッドにおいて、
前記記録素子が前記複数の吐出口列が有する全ての吐出口から前記インクを同時に吐出させた際に、前記最も粘度が高いインクに対応する吐出口列が到達する温度が、前記複数の吐出口列の端部の列となる吐出口列が到達する温度より高いことを特徴とするインクジェット記録ヘッド。
【請求項４】
請求項１ないし３のいずれかに記載のインクジェット記録ヘッドにおいて、
前記記録素子が前記複数の吐出口列が有する全ての吐出口から前記インクを同時に吐出させた後に、前記最も粘度が高いインクに対応する吐出口列からの放熱が、前記複数の吐出口列の端部の列となる吐出口列からの放熱より少ないことを特徴とするインクジェット記録ヘッド。
【請求項５】
請求項１ないし４のいずれかに記載のインクジェット記録ヘッドにおいて、
前記最も粘度が高いインクは、前記複数の吐出口列と対応づけられたインクの中で最も染料濃度が高いことを特徴とするインクジェット記録ヘッド。
【請求項６】
請求項１ないし５のいずれかに記載のインクジェット記録ヘッドにおいて、
前記最も粘度が高いインクの粘度は、前記複数の吐出口列と対応づけられたインクから前記最も粘度が高いインクを除いた残りのインクの粘度の１．２倍以上であることを特徴とするインクジェット記録ヘッド。
【請求項７】
請求項１ないし６のいずれかの記載のインクジェット記録ヘッドにおいて、
前記記録素子基板は、前記複数の吐出口列が配設された共通の基板を有することを特徴とするインクジェット記録ヘッド。
【請求項８】
請求項１ないし７のいずれかに記載のインクジェット記録ヘッドにおいて、
前記複数の吐出口列の少なくとも２つは、第１の吐出口列と、該第１の吐出口列に対応する第２の吐出口列とからなり、
前記第１の吐出口列のそれぞれは、前記インクジェット記録ヘッドの走査方向と直行する直線に関して、前記第２の吐出口列のそれぞれと線対称となる位置から前記走査方向と直行する方向に所定の距離だけずれた位置に配設されていることを特徴とするインクジェット記録ヘッド。
【請求項９】
請求項１ないし８のいずれかに記載のインクジェット記録ヘッドにおいて、
前記複数の吐出口列の少なくとも１つは、該吐出口列に対応するインクを複数種の吐出量で吐出することを特徴とするインクジェット記録ヘッド。
【請求項１０】
請求項１ないし９のいずれかに記載のインクジェット記録ヘッドにおいて、
前記最も粘度が高いインクを前記複数の吐出口列の中央の列となる吐出口列から吐出させ、該中央の吐出口列から前記吐出口列の端部となる吐出口列に向けて該吐出口列が吐出するインクの粘度が徐々に低くなっていくことを特徴とするインクジェット記録ヘッド。
【請求項１１】
複数の吐出口からなる複数の吐出口列と、前記吐出口からインクを吐出させる記録素子とを含む記録素子基板を有し、前記吐出口列のそれぞれは、温度が高くなるほど粘度が低くなる複数種類のインクのいずれか１つと対応し、前記記録素子は、前記吐出口列の吐出口から該吐出口列に対応するインクを吐出させるインクジェット記録ヘッドであって、
前記複数の吐出口列と対応づけられたインクの中で最も粘度が高いインクに対応する吐出口列の近傍に前記記録素子基板に熱を供給する熱供給部を含むことを特徴とするインクジェット記録ヘッド。
【請求項１２】
請求項１ないし１１のいずれかに記載のインクジェット記録ヘッドを含むことを特徴とするインクジェット記録装置。
【手続補正２】
【補正対象書類名】明細書
【補正対象項目名】発明の名称
【補正方法】変更
【補正の内容】
【発明の名称】インクジェット記録ヘッドおよびインクジェット記録装置
【手続補正３】
【補正対象書類名】明細書
【補正対象項目名】００１２
【補正方法】変更
【補正の内容】
【００１２】
上記目的を達成するために、本発明のインクジェット記録ヘッドは、複数の吐出口からなる吐出口列と、前記吐出口からインクを吐出させる記録素子とを含む記録素子基板を有し、前記吐出口列は３以上の複数あり、前記吐出口列のそれぞれは、温度が高くなるほど粘度が低くなる複数種類のインクのいずれか１つと対応し、前記記録素子は前記インクを吐出させかつ前記記録素子基板の中の前記インクを吐出する吐出口の周囲の部分に熱を供給するインクジェット記録ヘッドであって、前記記録素子基板において、吐出されるインクの中で最も粘度が高いインクに対応する吐出口列が、他の吐出口列の間に配設されていることを特徴とする。
【手続補正４】
【補正対象書類名】明細書
【補正対象項目名】００１９
【補正方法】変更
【補正の内容】
【００１９】
また、本発明のインクジェット記録ヘッドにおいて、前記記録素子基板は、前記複数の吐出口列が配設された共通の基板を有することが望ましい。この場合、インクジェット記録ヘッドの小型化が図れ、熱の伝わり方のむらを少なくすることが可能となる。
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】削除
【補正の内容】
【手続補正書】
【提出日】平成18年10月16日(2006.10.16)
【手続補正１】
【補正対象書類名】明細書
【補正対象項目名】０００４
【補正方法】変更
【補正の内容】
【０００４】
本発明の課題は、ラックアンドピニオン式舵取装置において、キックバック力によるピニオンとラックの打音を抑えることにある。
【手続補正２】
【補正対象書類名】明細書
【補正対象項目名】００１０
【補正方法】削除
【補正の内容】
【手続補正３】
【補正対象書類名】明細書
【補正対象項目名】００２０
【補正方法】削除
【補正の内容】
【手続補正４】
【補正対象書類名】明細書
【補正対象項目名】００２８
【補正方法】削除
【補正の内容】
【手続補正書】
【提出日】平成18年10月24日(2006.10.24)
【手続補正１】
【補正対象書類名】特許請求の範囲
【補正対象項目名】全文
【補正方法】変更
【補正の内容】
【特許請求の範囲】
【請求項１】
重合性化合物、光重合開始剤及び蛍光増白剤を含有し、実質的に色材を含有しないことを特徴とするインク。
【請求項２】
前記インクが無色であることを特徴とする請求項１に記載のインク。
【請求項３】
前記蛍光増白剤が、下記一般式（Ｆ）で表される化合物であることを特徴とする請求項１に記載のインク。
一般式（Ｆ）      Ａｎ−・（Ｂ＋）
〔式中、Ａはアニオン性基を有する蛍光増白剤成分を表し、Ｂは総炭素数が１５以上の有機カチオンを表し、ｎは１〜９の整数を表す。〕
【請求項４】
前記蛍光増白剤が、下記一般式（Ｗ１）〜（Ｗ５）で表される化合物から選ばれる少なくとも１種であることを特徴とする請求項１に記載のインク。
【化１】
2005125643.tif 000001
〔式中、Ｒ1、Ｒ2、Ｒ3、Ｒ4は、それぞれ同一でも異なっていてもよい水素原子または有機性基を表す。〕
【化２】
2005125643.tif 000002
〔式中、Ｒ5、Ｒ6、Ｒ7、Ｒ8は、それぞれ同一でも異なっていてもよい水素原子または有機性基を表す。〕
【化３】
2005125643.tif 000003
〔式中、Ｒ9、Ｒ10、Ｒ11、Ｒ12は、それぞれ同一でも異なっていてもよい水素原子または有機性基を表す。〕
【化４】
2005125643.tif 000004
〔式中、Ｒ13、Ｒ14、Ｒ15は、それぞれ同一でも異なっていてもよい水素原子または有機性基を表す。〕
【化５】
2005125643.tif 000005
〔式中、Ｒ16、Ｒ17は、それぞれ同一でも異なっていてもよい水素原子または有機性基を表す。〕
【請求項５】
少なくとも重合性化合物及び光重合開始剤を含有する、複数のインクから構成されるインクセットにおいて、該インクセットが、少なくともカラー色材を含有するカラーインク、白色顔料を含有する白色インク及び前記請求項１乃至４に記載の蛍光増白剤を含有するインクから構成されていることを特徴とするインクセット。
【請求項６】
前記請求項６に記載のインクセットを用いることを特徴とする画像形成方法。
【請求項７】
前記請求項１乃至４に記載の蛍光増白剤を含有するインクを、前記白色インクにより形成された画像全面に出射することを特徴とする請求項６に記載の画像形成方法。
【請求項８】
前記請求項１乃至４に記載の蛍光増白剤を含有するインクを、前記カラーインク及び前記白色インクにより形成された画像上に出射することを特徴とする請求項６に記載の画像形成方法。
【請求項９】
前記請求項１乃至４に記載の蛍光増白剤を含有するインクと前記白色インクとにより形成された白色画像部の三刺激値をＹWとし、記録材料の未印字部（非画像部）の三刺激値をＹBとしたとき、下式（１）で表されるΔＹの絶対値が、１０％以下であることを特徴とする請求項６〜８のいずれか１項に記載の画像形成方法。
式（１）      ΔＹ＝（１−ＹW／ＹB）×１００（％）
〔式中、ＹWは、蛍光増白剤を含有するインクと白色インクにより形成された白色画像部を、標準の光Ｄ６５の下で、ＪＩＳ  Ｚ  ８７１７（１９８９）で規定された蛍光物体色の測定方法に準じて測定した三刺激値（Ｘ、Ｙ、Ｚ）におけるＹ値であり、ＹBは記録材料の未印字部（非画像部）を、標準の光Ｄ６５の下で、ＪＩＳ  Ｚ  ８７１７（１９８９）で規定された蛍光物体色の測定方法に準じて測定した三刺激値（Ｘ、Ｙ、Ｚ）におけるＹ値である。〕
【手続補正２】
【補正対象書類名】明細書
【補正対象項目名】発明の名称
【補正方法】変更
【補正の内容】
【発明の名称】インク、インクセット及びそれを用いた画像形成方法
【手続補正３】
【補正対象書類名】明細書
【補正対象項目名】００１５
【補正方法】変更
【補正の内容】
【００１５】
本発明の目的は、下記の構成により達成される。
（請求項１）
重合性化合物、光重合開始剤及び蛍光増白剤を含有し、実質的に色材を含有しないことを特徴とするインク。
（請求項２）
前記インクが無色であることを特徴とする請求項１に記載のインク。
（請求項３）
前記蛍光増白剤が、下記一般式（Ｆ）で表される化合物であることを特徴とする請求項１に記載のインク。
【手続補正４】
【補正対象書類名】明細書
【補正対象項目名】００１６
【補正方法】変更
【補正の内容】
【００１６】
一般式（Ｆ）      Ａｎ−・（Ｂ＋）
〔式中、Ａはアニオン性基を有する蛍光増白剤成分を表し、Ｂは総炭素数が１５以上の有機カチオンを表し、ｎは１〜９の整数を表す。〕
（請求項４）
前記蛍光増白剤が、下記一般式（Ｗ１）〜（Ｗ５）で表される化合物から選ばれる少なくとも１種であることを特徴とする請求項１に記載のインク。
【手続補正５】
【補正対象書類名】明細書
【補正対象項目名】００２６
【補正方法】変更
【補正の内容】
【００２６】
〔式中、Ｒ16、Ｒ17は、それぞれ同一でも異なっていてもよい水素原子または有機性基を表す。〕
（請求項５）
少なくとも重合性化合物及び光重合開始剤を含有する、複数のインクから構成されるインクセットにおいて、該インクセットが、少なくともカラー色材を含有するカラーインク、白色顔料を含有する白色インク及び前記請求項１乃至４に記載の蛍光増白剤を含有するインクから構成されていることを特徴とするインクセット。
（請求項６）
前記請求項６に記載のインクセットを用いることを特徴とする画像形成方法。
（請求項７）
前記請求項１乃至４に記載の蛍光増白剤を含有するインクを、前記白色インクにより形成された画像全面に出射することを特徴とする請求項６に記載の画像形成方法。
（請求項８）
前記請求項１乃至４に記載の蛍光増白剤を含有するインクを、前記カラーインク及び前記白色インクにより形成された画像上に出射することを特徴とする請求項６に記載の画像形成方法。
（請求項９）
前記請求項１乃至４に記載の蛍光増白剤を含有するインクと前記白色インクとにより形成された白色画像部の三刺激値をＹWとし、記録材料の未印字部（非画像部）の三刺激値をＹBとしたとき、下式（１）で表されるΔＹの絶対値が、１０％以下であることを特徴とする請求項６〜８のいずれか１項に記載の画像形成方法。